(57)【要約】【課題】市販のゴルフクラブのシャフトを飛距離と方向性の二つの要素を満たしたシャフトに手軽に改造する。【解決手段】炭素繊維などからなるシャフト内の所定の長さ範囲に発泡ポリウレタンなどの軽量の固化剤を充填した状態に形成してシャフトのキックポイントならびにトルクを使用者のスイングに合うように改造する。【効果】ゴルフクラブのシャフトを購入の際、使用者のスイング時のタイミングに適合したものを入手することが困難なので、購入後、使用者に適合するキックポイントの位置を調べ、シャフトのしかるべき箇所に発泡ポリウレタンを充填した状態に形成すれば、ゴルフクラブの飛距離と方向性を改善することができる。【選択図】      図１
0003104132.tif 000002
【実用新案登録請求の範囲】
【請求項１】
シャフト内の所定の長さ範囲に発泡ポリウレタンを充填した状態に形成してあるゴルフクラブのシャフト。
【考案の詳細な説明】
【技術分野】
【０００１】
本考案は飛距離と方向性を改善したゴルフクラブのシャフトの構造に関する。
【背景技術】
【０００２】
従来、ゴルフクラブのシャフトはスチール製や炭素繊維製などのものが使用されている。スチール製のものではゴルフクラブ使用者のスイング力の強さに応じて、ヘッドの重さやシャフトの可撓性（やわらかさ、しなり具合）を選択して使用されてきた。その結果、スイング力の強さの強い人ほどヘッドが重く、可撓性の少ないシャフトを使用することになっていた。その後、炭素繊維製のシャフトが開発されるにおよび、そのシャフトは可撓性が大きいので、スイング力の比較的弱い人でも、またスイング力の強い人でもタイミングよく打てば、飛距離が得られるということで、広く普及するにおよんでいる。しかしながら、炭素繊維製のシャフトは軽量でスイングしやすいが、可撓性が大きいのでインパクトのタイミングがとりにくく、シャフトのねじれの度合いも大きいので、飛距離と方向性のよい打球を得ることが容易でないという問題がある。
【０００３】
ゴルフクラブにはキックポイントというものがあり、それはシャフトが一番しなる所であり、グリップ寄りを手元調子、ヘッド寄りなら先調子、それらの中間を中調子と呼ばれている。また、シャフトをねじったときのねじれの度合いをトルクと称しており、シャフトの重さと硬さが合っているだけでは良い打点が得られるとは限らないので、キックポイントを調整することにより打点を変える必要がある。キックポイントが違うと同じリズムでスインブしても打点が変わるのである。キックポイントが手元に上がるほどシャフトの振れが大きくなり、キックポイントが手元になるほどシャフトの戻りが遅くなるのでインパクトのタイミングも遅くなるのである。
【０００４】
図１に示すごとく、シャフトが同じ硬さでも手元調子だとしなる部分が大きくて、その分しなって戻るリズムが遅くなり、図２に示すごとく、先調子になるとしなる部分が小さくなり、戻るリズムも速くなる。たとえば、コックを早めに解く人は、インパクトまで時間があるのでゆっくり戻る手元調子、コックをためて一気にリリースする人なら素早く戻る先調子が会うというように、スイングのリズムとシャフトのリズムガ合えばタイミングよくヒットでき打点も安定する。
【０００５】
また、トルクというのは、シャフトのねじれ度合いを表すもので、トルクが大きくなるほどシャフトのネジレが大きくなる。ゴルフクラブはシャフトの延長線上にヘッドの重心点がないため、スイング中シャフトをねじる力が働き、トルクが大きくなるほどねじれる度合いが大きく、戻るスピードが遅くなる。そのため、一気にリリースするタイプのゴルファーは、トルクが大きくなるとフェースがスクエアに戻り切らないので右へ飛ぶようになったり、ミスヒットでヘッドがねじれやすくなるので、ミスの度合いが大きくなりやすい。
【０００６】
ゴルフクラブのシャフトの性能は飛距離と方向性の二つの要素を満たす必要がある。飛距離を決定する最大の要素はヘッドスピードを上げることであり、そのためにはシャフトのしなり幅を最適にする必要がある。シャフトのしなり幅はシャフトの柔らかさとキックポイントで決定される。前述のごとく、キックポイントはシャフトが一番しなるところで、グリップ寄りを手元調子、ヘッド寄りなら先調子、中間を中調子と呼ぶ。シャフトが柔らかく、キックポイントが手元に上がるほどシャフトの振れ幅が大きくなり、ヘッドスピードが上がり、飛距離は出るが、インパクトのタイミングも遅くなり、曲がり易い反面も出てくる。そこで、元来、振れ幅が大きく飛距離の出るシャフトの手元に発泡ポリウレタンなどの軽量の固化剤を充填することにより、使用者に適した振れ幅のシャフトにすることが出来、飛距離が出て、しかも曲がらない、飛距離と方向性の二つの要素を満たしたシャフトが得られることになる。
【０００７】
従来、ゴルフクラブにおいて、バランスポイントを太径側に移動させるため、クラブシャフトの太径側の内層と外層の間に中間層を形成させ、中間層の繊維構成、範囲、厚さを任意に変化させるという特許文献１があるが、その構成が複雑で製作も困難であるから、シャフトの機能を変えるためそのようなことを本考案に適用することは到底できない。
【特許文献１】実開平７−５６６１
【考案の開示】
【考案が解決しようとする課題】
【０００８】
本考案は市販のゴルフクラブについて使用者に応じて飛距離と方向性の二つの要素を満たしたシャフトに手軽に改造したものを提供せんとするものである。
【課題を解決するための手段】
【０００９】
ここにおいて本考案者は炭素繊維等からなるシャフト内の所定の長さ範囲に発泡ポリウレタンを充填した状態に形成して使用者のスイングに合うようにシャフトのキックポイントならびにトルクを改造したゴルフクラブのシャフトを見出すにいたった。
【００１０】
本考案において発泡ポリウレタンは市販されている二液型のものを使用する。使用者のタイミングにに合ったキックポイントの位置を見定めて所定の長さ位置に二液型の発泡ポリウレタンを注入すれば、シャフト内に固化した発泡ポリウレタンが得られ、発泡ポリウレタンがシャフトの内壁に密着するので、その長さ位置においてしなりやねじれが抑制され、使用者によるスイング時のタイミングのとり方に合っゴルフクラブのシャフトが得られ、飛距離と方向性を改善することができる。
【考案の効果】
【００１１】
ゴルフクラブのシャフトは購入時、使用者のスイング時のタイミングに適合したキックポイントを有するシャフトを入手することが困難なので、購入後、使用者のスイングのタイミングに合ったキックポイントの位置を調べて、そのようなキックポイントが得られるようにシャフト内のしかるべき位置に発泡ポリウレタンを充填した状態に形成すれば、ゴルフクラブの飛距離と方向性を改善することができる。
【考案を実施するための最良の形態】
【００１２】
ゴルフクラブのシャフトのキックポイントが使用者に合っていないと、好ましい打球が得られない。たとえば、手元調子が合う人が先調子を使うとミスの原因になる。それは、体がインパクトの状態に入っていないのにヘッドが速く戻るためトップしたり、ヒールに当たるからである。また、トルクが合わないとインパクトのタイミングがずれる。すなわち、トルクが小さくなるほどシャフトのネジレが少なくなり、戻りも速いので、ヘッドの返りも速くなるからである。このように、ダウンスイング以降はキックポイントやトルクといったシャフトの特性でクラブは勝手に動くということであるから、シャフトが合わないのにプレイヤーのほうでスイングを合わせようとしても飛ばなかったりミスの原因になりやすいのである。
【００１３】
そこで、ゴルフクラブのシャフトのキックポイントの位置を移動させるためにシャフト内に発泡ポリウレタンを充填するのである。図２に示すごとく、発泡ポリウレタンを手元部分に充填するとトルクが小さくなり、ボールの方向性を改善することができる。
なお、シャフトに発泡ポリウレタンを充填する場合、シャフトをゴルフクラブから外しても外さなくとも作業はし易い。たとえば、シャフトの手元側に発泡ポリウレタンを充填する場合は予めその下端位置に詰めものを当ててからすればよい。
【図面の簡単な説明】
【００１４】
【図１】ゴルフクラブのシャフトの先端部分に発泡ポリウレタンを充填した場合の説明図
【図２】ゴルフクラブのシャフトの手元部分に発泡ポリウレタンを充填した場合の説明図
【符号の説明】
【００１５】
１  ゴルフクラブのシャフト
２  発泡ポリウレタン
【図１】
0003104132.tif 000003
【図２】
0003104132.tif 000004